(57)【要約】【課題】電線との接続抵抗が低下し、特に電線の導電体部がアルミニウム素線の撚線導体からなる場合に、接続抵抗の増加を抑え、また、電流の集中によりアルミニウム素線が溶断するのを防ぐことができる接続端子を提供する。【解決手段】導電性金属板を打ち抜き、折り曲げ加工して形成されたものであって、底壁２１と該底壁２１の両側から同方向に曲げられて形成された一対の側壁２２、２２からなる電線接続部２０を有する接続端子において、電線接続部２０に前記底壁２１から起立するように切り曲げられた切断刃２６、圧着片２３、２５および圧接刃２４を形成し、前記切断刃２６は、前記一対の側壁２２、２２間に押し込まれた電線Ｗの導電体部Ｗｂ　を切断するとともに、その切断面と圧接する。【選択図】　　　　図２
2004071417.tif 000002
【特許請求の範囲】
【請求項１】
導電性金属板を打ち抜き、折り曲げ加工して形成されたものであって、底壁と該底壁の両側から同方向に曲げられて形成された一対の側壁からなる電線接続部を有する接続端子において、
前記電線接続部に前記底壁から起立するように切り曲げられた切断刃を形成し、該切断刃は、前記一対の側壁間に押し込まれた電線の導電体部を切断するとともに、その切断面と圧接することを特徴とする接続端子。
【請求項２】
前記一対の側壁の一部を内側へ切り曲げて、前記切断刃の方向に狭まるようにハ字状をなす一対の圧接刃を形成し、該圧接刃は、電線の樹脂被覆を切開して、前記電線の導電体部と圧接するとともに、前記切断刃に前記切断面を圧接することを特徴とする請求項１記載の接続端子。
【発明の詳細な説明】
【０００１】
【発明の属する技術分野】
本発明は、電線端末に取り付ける接続端子に関し、特に導体にアルミニウム撚線を用いたアルミニウム電線の接続に好適な接続端子に関する。
【０００２】
【従来の技術】
従来、撚線導体に絶縁被覆を施した電線端末に端子を接続する構造には、例えば圧接構造と圧着構造がある。圧接構造は、図３（ａ）に示すように、一対の圧接刃１、１の間隙に電線Ｗを圧入し、圧接刃１の上縁１ａで樹脂被覆Ｗａ　を切開し、その切開部分に圧接刃１の接触縁１ｂを食い込ませて撚線導体からなる導電体部Ｗｂ　と圧接させた構造である。また、圧着構造は、図３（ｂ）に示すように、露出させた導電体部Ｗｂ　に圧着片２を巻き付け、工具で圧縮荷重を加えて、両者を塑性変形させ、圧着させた構造である。
【０００３】
【発明が解決しようとする課題】
上述のような圧接構造および圧着構造では、圧接刃１および圧着片２は導電体部Ｗｂ　を構成する撚線導体の全ての素線に直接接触していることはないが、素線が銅線である場合には、素線同士の接触により、電気的接続には特に問題はなかった。
しかしながら、素線がアルミニウム線である場合には、素線に酸化皮膜が形成されやすいため、素線間の接触抵抗が大きくなり、電流が選択的に素線に流れて、接続端子と電線との接続抵抗が高くなるという問題があった。また、アルミニウム線は銅線に比して溶断温度が低いために、電流が集中すると、素線が溶断する恐れもあった。
【０００４】
【課題を解決するための手段】
本発明は上記問題点を解決すべくなされたもので、請求項１記載の発明は、導電性金属板を打ち抜き、折り曲げ加工して形成されたものであって、底壁と該底壁の両側から同方向に曲げられて形成された一対の側壁からなる電線接続部を有する接続端子において、前記電線接続部に前記底壁から起立するように切り曲げられた切断刃を形成し、該切断刃は、前記一対の側壁間に押し込まれた電線の導電体部を切断するとともに、その切断面と圧接することを特徴とするものである。
【０００５】
また、請求項２記載の発明は、請求項１記載の発明において、前記一対の側壁の一部を内側へ切り曲げて、前記切断刃の方向に狭まるようにハ字状をなす一対の圧接刃を形成し、該圧接刃は、電線の樹脂被覆を切開して、前記電線の導電体部と圧接するとともに、前記切断刃に前記切断面を圧接することを特徴とするものである。
【０００６】
請求項１記載の発明によれば、電線接続部の切断刃は切断した電線の導電体部の切断面と圧接するため、導電体部の全断面と接触することが可能になる。したがって、導電体部がアルミニウム撚線導体からなる場合、切断刃はアルミニウム撚線導体を構成する各アルミニウム素線の切断面と圧接するため、アルミニウム素線の表面に酸化皮膜が形成されていても、そのために電線接続部と電線との接続抵抗が高くなることはない。また、電流が各素線を通して切断刃に流れるため、電流の集中によりアルミニウム素線が溶断するのを防ぐことができる。
【０００７】
また、請求項２記載の発明のように、前記切断刃の方向に狭まるようにハ字状をなす一対の圧接刃を形成すると、電線の樹脂被覆を切開して食い込み、導電体部と圧接した圧接刃は、切断刃で切断された導電体部が切断刃から離間するのを防ぎ、導電体部の切断面と切断刃を圧接した状態に保持する。
【０００８】
【発明の実施の形態】
以下、図面に基づいて本発明の実施の形態を詳細に説明する。
図１（ａ）、（ｂ）はそれぞれ、本発明にかかる接続端子の一実施形態を示す平面図および正面図である。また、図２（ａ）、（ｂ）はそれぞれ、上記接続端子に電線を接続した状態の要部平面図およびそのＡ−Ａ断面図である。
【０００９】
図１（ａ）、（ｂ）において、接続端子１０は導電性金属板を打ち抜き、折り曲げ加工して形成され、電線と接続する電線接続部２０と相手側雄端子と接続する雌型の端子接続部３０とからなる。
【００１０】
電線接続部２０は、底壁２１の両側縁から一対の側壁２２、２２を立ち上げた形状になっており、後端部から長手方向に一対の圧着片２３、２３、一対の圧接刃２４、２４、一対の圧着片２５、２５および切断刃２６が順に設けられている。
圧着片２３、２５は、側壁２１を部分的に高くしたもので、図２（ａ）に示すように、一対の側壁２２、２２間に押し込まれた電線Ｗに巻き付け、かしめるようにして圧着され、電線Ｗの抜けを防止し、接続の位置決めをする。また、一対の圧接刃２４、２４は、側壁２２を部分的に内側に斜めになるように切り曲げたもので、切断刃２６の方向に狭まるようにハ字状をなし、図２（ａ）に示すように、電線Ｗの樹脂被覆ｗａ　を切開し、導電体部Ｗｂ　である撚線導体と圧接するものである。さらに、切断刃２６は、図２（ｂ）に示すように、底壁２１を直角に起立するように内側に折り曲げたものである。切断刃２６の先端部両端はは、側壁２２の端縁を部分的にコ字状に折り曲げて形成された保持部２７で挟まれ、起立状態を保持されている。
【００１１】
雌型の端子接続部３０は、一対の側壁３２、３２を重なるように折り曲げて角筒状をなしており、その内部に底壁３１を内側に折り曲げてなる舌片状の弾性接触片３３を設けたものである。
【００１２】
本実施形態が従来例と異なる特徴的なことは、上述のように、電線接続部２０に、底壁２１を直角に起立するように内側に折り曲げた切断刃２６を設けたことである。
本実施形態では、図２（ａ）、（ｂ）に示すように、先端部の樹脂被覆Ｗａ　が除去された電線Ｗが一対の側壁２２、２２間に押し込まれると、圧接刃２４が電線Ｗの樹脂被覆Ｗｂ　を切開して撚線導体からなる導電体部Ｗｂ　に圧接するとともに、切断刃２６が導電体部Ｗｂ　を切断し、導電体部Ｗｂ　の切断面と圧接する。この切断の際、切断刃２６は保持部２７で起立した状態を保持されており、また、切断された導電体部Ｗｂ　は、樹脂被覆Ｗａ　に食い込み、切断刃２６の方向に狭まるようにハ字状をなした一対の圧接刃２４により、逃げないように切断刃２６に圧接されている。
【００１３】
本実施形態では、電線接続部２０において、圧接刃２４が導電体部Ｗｂ　の外周面に圧接するとともに、切断刃２６が導電体部Ｗｂ　の撚線導体を構成する各素線の切断面に圧接しているため、電線接続部２０と電線Ｗの接続抵抗は、圧接刃２４のみで導電体部Ｗｂ　に圧接している場合よりも低下する。特に、導電体部Ｗｂ　の撚線導体の素線がアルミニウム線からなる場合には、素線の表面に酸化皮膜が形成されても、切断刃２６は素線の断面に圧接しているため、切断刃２６を有する電線接続部２０と電線Ｗの接続抵抗は格段に低下し、また、電流が各素線に分流して集中することがないため、素線の溶断の恐れもない。
【００１４】
上記実施形態は本発明を具体化した一例であって、本願発明の技術的範囲を限定するものではない。例えば、相手側端子と接続する端子接続部３０は雌型に限定されず、雄型でもよく、その構造は様々なものが可能である。また、切断刃２６は、導電体部Ｗｂ　を長手方向に直角に切断する構造に限定されず、導電体部Ｗｂ　を斜めに切断する構造にすると、切断刃２６と導電体部Ｗｂ　の圧接面積を大きくすることができる。また、切断刃２６の導電体部Ｗｂ　との圧接面の状態を平滑状態でなく、粗くして、凹凸や波形形状にすると、導電体部Ｗｂ　の切断面との電気的な接続状態が向上する。さらに、接続端子１０を構成する導電性金属板の材質は、電食を防止するために、導電体部Ｗｂ　を構成する撚線導体とは電気的に同質の材質であることが好ましく、撚線導体がアルミニウムからなる場合には、アルミニウムないしアルミニウム合金であることが望ましい。
【００１５】
【発明の効果】
以上説明したように本発明によれば、電線接続部と電線との接続抵抗が低下し、特に電線の導電体部がアルミニウム撚線導体からなる場合に、接続抵抗の増加を抑えることができ、また、電流の集中によりアルミニウム撚線導体を構成するアルミニウム素線が溶断するのを防ぐことができるという優れた効果がある。
【図面の簡単な説明】
【図１】（ａ）、（ｂ）はそれぞれ、本発明にかかる接続端子の一実施形態を示す平面図および正面図である。
【図２】（ａ）、（ｂ）はそれぞれ、上記接続端子に電線を接続した状態の要部平面図およびそのＡ−Ａ断面図である。
【図３】（ａ）、（ｂ）はそれぞれ、従来の電線の接続構造を示す断面図である。
【符号の説明】
１０　　　　　　　　接続端子
２０　　　　　　　　電線接続部
２１、３１　　　　　底壁
２２、３２　　　　　側壁
２３，２５　　　　　圧着片
２４　　　　　　　　圧接刃
２６　　　　　　　　切断刃
２７　　　　　　　　保持部
３０　　　　　　　　端子接続部
３３　　　　　　　　弾性接触片
Ｗ　　　　　　　　　電線
Ｗａ　　　　　　　　　樹脂被覆
ｗｂ　　　　　　　　　導電体部
【図１】
2004071417.tif 000003
【図２】
2004071417.tif 000004
【図３】
2004071417.tif 000005